(57)【要約】【課題】絶縁被覆された電線の芯線部分の損傷を最小限とし、簡易かつ確実に電線と地面とを短絡させることができる接地短絡器具を提供する。【解決手段】接地短絡器具１は、電線Ｘの形状に対応した断面半円形の電線受部３１ａ，３２ａを有する第１型３１と第２型３２とからなる電線接続部３を備える。電線接続部３は、電線受部３１ａに針電極３５を有し、第１型３１と第２型３２が結合した挟持位置で、針電極３５の先端が電線Ｘの芯線部分Ｘ２に到達する。【選択図】図１
2009290983.tif 000002
【特許請求の範囲】
【請求項１】
絶縁被覆された電線の芯線部分に電気的に接続する電線接続部と、一端が該電線接続部に接続された接地線と、該接地線の他端を地面に埋設された接地導体に接続する接地部とを備える接地短絡器具であって、
前記電線接続部は、前記電線を所定の挟持位置で挟持する一対の挟持部と、該挟持部に設けられ、該電線の被覆に切れ込んで芯線部分と接触する接触部とを備えることを特徴とする接地短絡器具。
【請求項２】
請求項１記載の接地短絡器具において、
前記一対の挟持部は、前記電線の形状に対応した断面半円形の電線受部を有する第１型と第２型とからなり、該第１型と第２型とが結合した状態を前記所定の挟持位置として、該電線を挟持することを特徴とする接地短絡器具。
【請求項３】
請求項１又は２記載の接地短絡器具において、
前記接触部は、針状あるいは刀状に形成されてなることを特徴とする接地短絡器具。
【請求項４】
請求項２記載の接地短絡器具において、
前記接触部は、前記電線受部に円弧状に形成された刃であることを特徴とする短絡接地器具。
【発明の詳細な説明】
【技術分野】
【０００１】
本発明は、変電所等の屋内外電気設備において、停電作業の際、作業者の安全確保のために電路を短絡接地する接地短絡器具に関する。
【背景技術】
【０００２】
屋内外電気設備において、配電線作業や停電作業を行う時は、作業者の安全確保のために、電路を、接地短絡器具の接地線を介して地面に埋設された接地導体やアース側の接地端子等に接続している（例えば、特許文献１参照）。ここで、電路が被覆電線である場合には、接地短絡器具を電線に接続するために電線の被覆を一部剥ぎ取る必要がある。具体的には、２名〜３名の作業者が、耐電性の高圧手袋を付けて又はヤットコなどの間接工具を用いて、電線の被覆を部分的に剥ぎ取り、その芯線部分を露出させた上で、接地短絡器具の電線側の接続部を露出させた芯線部分に接続する。そして、配電線作業や停電作業等の作業終了後は、接地短絡器具を除去して、被覆を剥ぎ取った電線部分を絶縁処置する補修を行う。
【０００３】
被覆電線への接地短絡器具の接続作業は、作業者の安全確保のためには不可欠であるが、かかる接続作業に時間と労力を要する。また、被覆を剥ぎ取った電線部分の補修についても、電路としての機能性を維持ためには不可欠であるが、被覆の剥ぎ取り部分の大きさによっては、その補修作業に時間と労力を要する。そのため、本来目的とする配電線作業や停電作業の作業効率が低下してしまうという不都合が生じている。
【０００４】
一方で、被覆電線に対して被覆の剥ぎ取りを不要とするため、電線に接続する接続部に、円筒形状でその先端にエンドミル状の刃先が形成された切削部を備える接続クランプが知られている（特許文献２参照）。かかる構成によれば、電線を接続部で固定した上で、切削部を電線の外側面に押圧して回転させることにより、電線の被覆が略円筒形に削除されて、切削部が電線の芯線部分まで到達する。そのため、電線の被覆を剥ぎ取ることなく、切削部を電線の芯線に接触させることができると共に、作業後の補修も切削部により削除された部分を塞ぐ簡単な絶縁処理でよい。
【特許文献１】特開２０００−２７８８３０号公報
【特許文献２】特開平９−４６８４３号公報
【発明の開示】
【発明が解決しようとする課題】
【０００５】
しかしながら、切削部を電線の芯線部分まで押し進めた場合には、芯線の一部も被覆部分と同様に切削されて抉り取られる。そのため、芯線部分の損傷が大きく、電路としての機能性を損なう恐れがある。また、一時的にはその機能が維持されるように見える場合でも、電線を長期に亘って使用した場合には、抉り取られた芯線部分が起点となり劣化が進行し得る。一方で、切削部を芯線部分まで十分に押し進めていない場合には、切削部が芯線部分に接触せず、非常時に電線に流れる電流を地面に短絡させることができず、作業者の安全を確保するという接地短絡器具の本来の目的に反してしまう。
【０００６】
また、切削部を回転させる機構が必要となるため、接地短絡器具に適用した場合には器具の構成が複雑となり、接地短絡器具としての使い勝手が損なわれると共に製造コストも嵩んでしまう。
【０００７】
そこで、本発明は、絶縁被覆された電線の芯線部分の損傷を最小限とし、簡易かつ確実に電線と地面とを短絡させることができる接地短絡器具を提供することを目的とする。
【課題を解決するための手段】
【０００８】
本発明は、絶縁被覆された電線の芯線部分に電気的に接続する電線接続部と、一端が該電線接続部に接続された接地線と、該接地線の他端を地面に埋設された接地導体に接続する接地部とを備える接地短絡器具であって、前記電線接続部は、前記電線を所定の挟持位置で挟持する一対の挟持部と、該挟持部に設けられ、該電線の被覆に切れ込んで芯線部分と接触する接触部とを備えることを特徴とする。
【０００９】
本発明の接地短絡器具によれば、まず、一対の挟持部が所定の挟持位置で電線を挟持する。すなわち、電線が挟持された状態では、その挟持部の挟持位置と挟持部による電線の挟持力は一定となる。さらに、接触部がかかる挟持部に設けられて一体に動作することから、挟持部が電線を挟持する所定の挟持位置に動作したときに、接触部が電線の被覆に切れ込み芯線部分に到達する割合は常に一定となる。そのため、電線および電線の芯線部分の損傷を最小限とすることができると共に、接触部を確実に芯線部分に到達させて接触させることができる。また、挟持部を所定の挟持位置に動作させるたけで、簡単に接触部を電線の芯線部分に接触させることができ、別途、接触部のみ個別に動作させる必要もない。
【００１０】
本発明の好ましい態様では、前記一対の挟持部は、前記電線の形状に対応した断面半円形の電線受部を有する第１型と第２型とからなり、該第１型と第２型とが結合した状態を前記所定の挟持位置として、該電線を挟持する。これにより、電線が挟持された状態で、その挟持位置と挟持力とを常に一定とする構成を簡易に実現することができる。
【００１１】
前記接触部は、針状あるいは刀状に形成されてなることが好ましい。かかる好ましい態様によれば、接触部を針状あるいは刀状に形成することで、接触部を電線の被覆に切れ込ませて芯線部分に到達させ、これと確実に接触させることができる。さらに、芯線部分を切削するようなことなく、芯線部分の損傷を最小限とすることができる。
【００１２】
また、前記接触部は、前記電線受部に円弧状に形成された刃であることが好ましい。かかる好ましい態様によれば、接触部を電線受部に形成された円弧状の刃とすることで、電線の芯線部分に到達させて、これと接触する部分を大きくすることができる。そのため、より確実に接触部を芯線部分に接触させることができる。また、この場合にも、円弧状の刃が芯線部分の周縁部に到達するに過ぎず、芯線部分の損傷も最小限に止められる。
【発明を実施するための最良の形態】
【００１３】
（第１実施形態）
図１に示すように、第１実施形態の接地短絡器具１は、接地線２の一端を電線Ｘに接続する電線接続部３と、接地線２の他端を図示しない地面に埋設された接地導体に接続する接地部４とを備える。
【００１４】
接地線２は、所定の短絡電流、例えば１２５００Ａ／０．２秒を満たすもので、その外側面は絶縁性の合成樹脂等により被覆されている。また、接地部４は、Ｕ字形の接地部本体４１と、接地部本体４１の内方に設けられた一対の挟持金具４２ａ，４２ｂと、一方の挟持金具４２ａに接続された蝶螺子４３とを備える。かかる接地部４によれば、一対の挟持金具４２ａ，４２ｂの間に接地導体Ｙを位置させ、蝶ボルト４３を操作して一方の挟持金具４２ａを他方の挟持金具４２ｂに対して締め付けることで、接地部４は接地導体Ｙに固定される。
【００１５】
電線接続部３は、外方が弓形で内方がＵ字型の接続部本体３０と、接続部本体３０の内方に対向するように設けられた挟持部としての第１型３１と第２型３２と、第１型３１に一端で連結し、他端が接続部本体３０の外方に延びる螺子棒３３とを備える。
【００１６】
接続部本体３０は、例えば銅鋳物製の剛体であって相対向する一対の対向部３０ａ，３０ｂを有する。一方の対向部３０ａの中央には螺子棒３３が螺合する雌ネジ孔３０ｃが形成されている。そして、対向部３０ａの内方に第１型３１が配置されるようにして、雌螺子孔３０ｃに螺子棒３３が螺合している。他方の対向部３０ｂの内面には第２型３２が嵌る凹溝３０ｄが形成されており、第２型３２が該凹溝３０ｄに嵌合した状態で連結されている。また、接続部本体３０の側部には、螺子具２１を介して接地線２の一端が螺子止めされ、接続部本体３０と接地線２とが電気的に接続されている。
【００１７】
第１型３１は、電線Ｘを挟持する面に、電線Ｘの外形形状に対応した断面半円形の電線受部３１ａが形成された銅鋳物製の型体（ダイス）であって、電線受部３１ａの底部には第２型３２に向かって、電線Ｘの被覆部分Ｘ１の厚みよりやや高く起立した接触部としての針電極３５が設けられている。また、第１型３１は、電線受部３１ａが形成された面の対面から突出して設けられた取付部３１ｃ（図２参照）が形成されており、取付部３１ｃの側部には取付凹部３１ｄ（図２参照）が形成されている。そして、第１型３１は、取付部３１ｃを介して螺子棒３３の一端に連結されている。
【００１８】
第２型３２は、電線Ｘを挟持する面に、電線Ｘの外形形状に対応した断面半円形の電線受部３２ａが形成された銅鋳物製の型体（ダイス）であって、電線受部３２ａが形成された面の対面から突出して設けられた取付部３２ｃ（図２参照）が形成されており、取付部３２ｃの側部には取付凹部３２ｄ（図２参照）が形成されている。そして、第２型３２は、取付凹部３２ｄに対向部３０ｂのボールプランジャ３０ｅ（図２参照）を嵌合させることにより対向部３０ｂに連結される。
【００１９】
螺子棒３３は、その外側面に接続部本体３の雌螺子孔３０ｃに螺合する雄螺子溝３３が形成された棒体である。螺子棒３３は、その一端に第１型３１の取付凹部３１ｄ（図２参照）に嵌合するボールプランジャ３３ｅが内設され、ボールプランジャ３３ｅを取付凹部３１ｃに嵌合させることにより、第１型３１が螺子棒３３の一端に連結される。また、螺子棒３３は、その他端に、操作棒Ｚの先端が係合可能な係合部３３ａを備える。
【００２０】
かかる構成により、操作棒Ｚを係合部３３ａに係合させた状態で、操作棒をその軸回りに回転させることにより、雄螺子溝３３と接続部本体３の雌螺子孔３０ｃとの螺合位置が変位し、第１型３１を第２型３２に対して進退させることができる。
【００２１】
次に、本実施形態の接地短絡器具１の使用方法について、図２に示す第１型３１および第２型３２の断面図を参照して説明する。
【００２２】
屋内外電気設備において、配電線作業や停電作業等を行う作業者は、まず、絶縁性の高圧手袋を装着した上で、接地短絡器具１の接地部４を接地導体Ｙに接続する。具体的には、一対の挟持金具４２ａ，４２ｂの間に配置した接地導体Ｙを、蝶ボルト４３を操作して挟持金具４２ａ，４２ｂで挟持させることにより、接地部４が接地導体Ｙに接続される。
【００２３】
次いで、作業者は、係合部３３ａに係合した操作棒Ｚを操作して、第１型３１と第２型３２とを離反させ、図２（ａ）に示すように、第１型３１の電線受部３１ａと第２型３２の電線受部３２ａとの間に、接地短絡器具１を設置する電線Ｘを配置する。
【００２４】
この状態から、作業者は、操作棒Ｚを操作して、第１型３１と第２型３２とを接近させ、図２（ｂ）に示すように、１型３１と第２型３２とを結合させる。このとき、第１型３１の電線受部３１ａに形成された針電極３５が電線Ｘの被覆部分Ｘ１に切り込んで、その先端が芯線部分Ｘ２まで到達する。
【００２５】
ここで、第１型３１と第２型３２とが結合した挟持位置では、作業者の操作棒Ｚの操作に関わらず、針電極３５の先端は常に芯線部分Ｘ２の一定の深さまで到達し、作業者の意に反して針電極３５が芯線部分Ｘ２の奥深くまで到達することを回避することができる。また、かかる挟持位置では、針電極３５と芯線部分Ｘ２との接触面積は、所定の短絡電流（例えば１２５００Ａ／０．２秒）を芯線部分Ｘ２から接地線２に導通させるのに十分な接触面積とすることができる。そのため、作業者は、電線接続部３をかかる挟持位置に保持して、配電線作業や停電作業等を行うことで、作業時の短絡に対する安全性を確保することができる。
【００２６】
次に、配電線作業や停電作業等を終えた作業者は、操作棒Ｚを操作して、図２（ａ）に示すように、第１型３１と第２型３２とを離反させ、電線接続部３から電線Ｘを取り外し、針電極によって切れ込まれた部分を絶縁テープ等によって補修する。針電極によって切れ込まれた電線Ｘは、その被覆部分Ｘ１と芯線部分Ｘ２に針電極３５の跡が残るが、被覆部分Ｘ１は針電極３５による微細な切り込みであり、芯線部分Ｘ２の損傷も針電極３５の先端によるもので電路としての電線Ｘの機能を損なうことや劣化の原因となることもない。
【００２７】
以上説明したように、本実施形態の接地短絡器具１によれば、絶縁被覆された電線の芯線部分Ｘ２の損傷を最小限とし、簡易かつ確実に電線Ｘと地面とを短絡させることができる。
【００２８】
尚、本実施形態において、針電極３５は、第１型の電線受部３１ａに形成したが、第２型の電線受部３２ａに形成してもよい。また、針電極３５を、第１型の電線受部３１ａに螺子止めするように構成し、接地短絡器具１を適用する電線Ｘの種類に応じて、形状の異なる針電極に交換可能に構成してもよい。
【００２９】
（第２実施形態）
次に、図３を参照して、第１実施形態の変更例として、第２実施形態の接地短絡器具について説明する。尚、本実施形態の接地短絡器具１は、電線Ｘの芯線部分Ｘ２に接触する接触部のみが相違するものであるため、他の同一の構成要素については同一の参照符号を用いて説明を省略する。
【００３０】
図３（ａ）に第１型３１および第２型３２の断面図で示すように、本実施形態の接地短絡器具１は、第１型の電線受部３１ａに接触部として刀状の接触電極３６が形成されてなる。接触電極３６は、その刃３６ａを第２型３２に向けて、電線受部３１ａの底部以外の部位から、電線Ｘの被覆部分Ｘ１の厚みよりやや高く起立している。
【００３１】
この場合、図３（ｂ）に示すように、第１型３１と第２型３２とを結合させると、接触電極３６が、電線Ｘの側端縁の一部に切り込み、その先端が芯線部分Ｘ２まで到達する。ここで、第１型３１と第２型３２とが結合した挟持位置では、前記第１実施形態と同様、接触電極３６の先端を、常に芯線部分Ｘ２の一定の深さまで到達させることができる。また、接触電極３６と芯線部分Ｘ２との接触面積も、所定の短絡電流（例えば１２５００Ａ／０．２秒）を芯線部分Ｘ２から接地線２に導通させるのに十分な接触面積とすることができる。そのため、第２実施形態の接地短絡器具についても、絶縁被覆された電線の芯線部分Ｘ２の損傷を最小限とし、簡易かつ確実に電線Ｘと地面とを短絡させることができるとの作用効果を奏する。
【００３２】
尚、本実施形態において、刀状の接触電極３６は、第１型の電線受部３１ａに形成したが、第２型の電線受部３２ａに形成してもよい。
【００３３】
（第３実施形態）
次に、図４を参照して、第１実施形態の変更例として、第３実施形態の接地短絡器具について説明する。尚、本実施形態の接地短絡器具１は、電線Ｘの芯線部分Ｘ２に接触する接触部のみが相違するものであるため、他の同一の構成要素については同一の参照符号を用いて説明を省略する。
【００３４】
図４（ａ）に第１型３１および第２型３２の断面図で示すように、本実施形態の接地短絡器具１は、接触部として、第１型の電線受部３１ａに円弧状に刃３７が形成されている。同様に、接触部として、第２型の電線受部３２ａに円弧状に刃３８が形成されている。刃３７，３８は、電線受部３１ａ，３２ａのから電線Ｘの被覆部分Ｘ１の厚みよりやや高く起立している。
【００３５】
この場合、図４（ｂ）に示すように、第１型３１と第２型３２とを結合させると、刃３７，３８が、電線Ｘの側端縁全体に切り込み、その先端部分が芯線部分Ｘ２まで到達する。ここで、第１型３１と第２型３２とが結合した挟持位置では、前記第１実施形態と同様、刃３７，３８の先端部分を、常に芯線部分Ｘ２の一定の深さまで到達させることができる。さらに、本実施形態では、刃３７，３８の先端部分を芯線部分Ｘ２の全周に亘って接触させることができる。そのため、芯線部分Ｘ２との接触面積を大きくすることでき、前記所定の短絡電流（例えば１２５００Ａ／０．２秒）よりも高電流の短絡電流が予測される電線Ｘにも適用することができる。また、本実施形態の場合にも、円弧状の刃３７，３８の先端部分が僅かに芯線部分Ｘ２に到達するに過ぎず、芯線部分Ｘ２の損傷も最小限に止まる。
【００３６】
尚、本実施形態において、円弧状に刃３７，３８は、それぞれ第１型の電線受部３１ａおよび第２型の電線受部３２ａに形成されていたが、これに限らず、それぞれ第１型の電線受部３１ａおよび第２型の電線受部３２ａのいずれか一方に形成するようにしてもよい。
【図面の簡単な説明】
【００３７】
【図１】第１実施形態の設置短絡器具の外観図。
【図２】図１の第１型及び第２型の構成を示す断面図。
【図３】第２実施形態の第１型及び第２型の構成を示す断面図。
【図４】第３実施形態の第１型及び第２型の構成を示す断面図。
【符号の説明】
【００３８】
１…設置短絡器具、２…接地線、３…電線接続部、４…接地部、３０…接続部本体、３１…第１型（挟持部）、３２…第２型（挟持部）、３１ａ，３２ａ…電線受部、３３…螺子棒、３５…針電極（接触部）、３６…刀状の接触電極（接触部）、３７，３８…円弧状の刃、Ｘ…電線、Ｘ１…被覆部分、Ｘ２…芯線部分、Ｙ…設置導体、Ｚ…操作棒。
【図２】
2009290983.tif 000003
【図３】
2009290983.tif 000004
【図４】
2009290983.tif 000005
【図１】
2009290983.tif 000006